(57)【要約】【課題】映像情報に対応する静止画像情報を利便性良好に利用する。【解決手段】デジタル放送受信機のＭＰＵ１１は、ＵＳＢメモリ３が装着されているか否かを判定する装着判定部１１１と、リモコン２を介してユーザからの操作入力を受け付け、受け付けられた操作入力に基づいて、受信部１４を介して受信された映像情報に対応する静止画像情報を生成する静止画像生成部１１２と、装着判定部１１１によってＵＳＢメモリ３が装着されていると判定された場合に、リモコン２を介してユーザからの操作入力を受け付け、受け付けられた操作入力に基づいて、静止画像生成部１１２によって生成された静止画像情報をＵＳＢメモリ３に記録する画像記録部１１４と、を備えている。【選択図】図３
2009044546.tif 000002
【特許請求の範囲】
【請求項１】
記録媒体が着脱自在に構成されると共に、テレビジョン放送を受信し、受信した映像情報をモニタに表示可能に接続された放送受信装置であって、
予め設定された１のチャンネルのテレビジョン放送を受信する受信手段と、
外部からの操作入力を受け付け、受け付けられた操作入力に基づいて、前記受信手段を介して受信された映像情報に対応する静止画像情報を生成する静止画像生成手段と、
前記記録媒体が装着されているか否かを判定する装着判定手段と、
前記装着判定手段によって記録媒体が装着されていると判定された場合に、外部からの操作入力を受け付け、受け付けられた操作入力に基づいて、前記静止画像生成手段によって生成された静止画像情報を前記記録媒体に記録する画像記録手段と、
を備えることを特徴とする放送受信装置。
【請求項２】
前記静止画像生成手段によって静止画像が生成される度に、生成された静止画像を前記モニタに表示する表示制御手段を備えることを特徴とする請求項１に記載の放送受信装置。
【請求項３】
複数のキーが配設されたリモートコントローラと通信可能に接続され、
前記静止画像生成手段は、前記リモートコントローラに配設され、予め設定された第１特定キーが押下されたことが受け付けられた場合に、静止画像情報を生成することを特徴とする請求項２に記載の放送受信装置。
【請求項４】
前記表示制御手段は、前記静止画像が前記モニタに表示されている状態で、前記リモートコントローラに配設され、予め設定された第２特定キーが押下されたことが受け付けられた場合に、前記モニタに表示された静止画像を消去すると共に、前記受信手段を介して受信された映像情報を前記モニタに表示することを特徴とする請求項３に記載の放送受信装置。
【請求項５】
前記第１特定キー及び第２特定キーは、前記リモートコントローラに配設された同一のキーであることを特徴とする請求項４に記載の放送受信装置。
【請求項６】
前記記録媒体は、ＵＳＢ（Ｕｎｉｖｅｒｓａｌ  Ｓｅｒｉａｌ  Ｂｕｓ）メモリであることを特徴とする請求項１〜請求項５のいずれかに記載の放送受信装置。
【発明の詳細な説明】
【技術分野】
【０００１】
本発明は、記録媒体が着脱自在に構成されると共に、テレビジョン放送を受信し、受信した映像情報をモニタに表示可能に接続された放送受信装置に関する。特に、複数のキーが配設されたリモートコントローラと通信可能に接続され、記録媒体が着脱自在に構成されると共に、テレビジョン放送を受信し、受信した映像情報をモニタに表示可能に接続された放送受信装置に関する。
【背景技術】
【０００２】
テレビジョン放送を受信し、受信した映像情報をモニタに表示可能に接続された放送受信装置において、ユーザの利便性を向上するために、受信された映像情報に対応する静止画像情報を生成する種々の装置、方法が提案されている。
【０００３】
例えば、制御部からの制御命令に基づいて、表示部から映像データを取得し、ＪＰＥＧ等の画像ファイルに変換し、映像静止画像としてメモリに保存する静止画キャプチャ部を備えるデジタル放送受信装置が開示されている（特許文献１参照）。
【特許文献１】特開２００７−１８０７２６号公報
【発明の開示】
【発明が解決しようとする課題】
【０００４】
しかしながら、上記デジタル放送受信装置等の従来の放送受信装置においては、静止画像をモニタに表示することはできるものの、生成された静止画像情報を充分に活用することは困難であった。すなわち、生成された静止画像情報を、パーソナルコンピュータの壁紙として使用する、静止画像に含まれる懸賞の応募先等の文字情報を葉書等に書き写すためにパーソナルコンピュータ等のモニタに表示する等の幅広い用途で利便性良好に利用することは困難であった。
【０００５】
本発明は、上記課題に鑑みてなされたものであって、映像情報に対応する静止画像情報を利便性良好に利用することの可能な放送受信装置を提供することを目的としている。
【課題を解決するための手段】
【０００６】
上記目的を達成するために請求項１に記載の放送受信装置は、記録媒体が着脱自在に構成されると共に、テレビジョン放送を受信し、受信した映像情報をモニタに表示可能に接続された放送受信装置であって、予め設定された１のチャンネルのテレビジョン放送を受信する受信手段と、外部からの操作入力を受け付け、受け付けられた操作入力に基づいて、前記受信手段を介して受信された映像情報に対応する静止画像情報を生成する静止画像生成手段と、前記記録媒体が装着されているか否かを判定する装着判定手段と、前記装着判定手段によって記録媒体が装着されていると判定された場合に、外部からの操作入力を受け付け、受け付けられた操作入力に基づいて、前記静止画像生成手段によって生成された静止画像情報を前記記録媒体に記録する画像記録手段と、を備えることを特徴としている。
【０００７】
請求項２に記載の放送受信装置は、請求項１に記載の放送受信装置であって、前記静止画像生成手段によって静止画像が生成される度に、生成された静止画像を前記モニタに表示する表示制御手段を備えることを特徴としている。
【０００８】
請求項３に記載の放送受信装置は、請求項２に記載の放送受信装置であって、複数のキーが配設されたリモートコントローラと通信可能に接続され、前記静止画像生成手段が、前記リモートコントローラに配設され、予め設定された第１特定キーが押下されたことが受け付けられた場合に、静止画像情報を生成することを特徴としている。
【０００９】
請求項４に記載の放送受信装置は、請求項３に記載の放送受信装置であって、前記表示制御手段が、前記静止画像が前記モニタに表示されている状態で、前記リモートコントローラに配設され、予め設定された第２特定キーが押下されたことが受け付けられた場合に、前記モニタに表示された静止画像を消去すると共に、前記受信手段を介して受信された映像情報を前記モニタに表示することを特徴としている。
【００１０】
請求項５に記載の放送受信装置は、請求項４に記載の放送受信装置であって、前記第１特定キー及び第２特定キーが、前記リモートコントローラに配設された同一のキーであることを特徴としている。
【００１１】
請求項６に記載の放送受信装置は、請求項１〜請求項５のいずれかに記載の放送受信装置であって、前記記録媒体が、ＵＳＢ（Ｕｎｉｖｅｒｓａｌ  Ｓｅｒｉａｌ  Ｂｕｓ）メモリであることを特徴としている。
【発明の効果】
【００１２】
請求項１に記載の放送受信装置によれば、外部からの操作入力が受け付けられ、受け付けられた操作入力に基づいて、受信手段を介して受信された映像情報に対応する静止画像情報が生成され、記録媒体が装着されているか否かが判定される。そして、記録媒体が装着されていると判定された場合に、外部からの操作入力が受け付けられ、受け付けられた操作入力に基づいて、生成された静止画像情報が記録媒体に記録されるため、映像情報に対応する静止画像情報を利便性良好に利用することができる。
【００１３】
すなわち、外部からの操作入力が受け付けられ、受け付けられた操作入力に基づいて、生成された静止画像情報が記録媒体に記録されるため、パーソナルコンピュータ等によって記録媒体に格納された静止画像情報を読み出すことによって、種々の方法で静止画像情報を利用する（例えば、気に入った静止画像を壁紙として用いる、静止画像に含まれる懸賞の応募先等の文字情報を葉書等に書き写す等）ことができるので、映像情報に対応する静止画像情報を利便性良好に利用することができるのである。
【００１４】
また、従来、静止画像に含まれる懸賞の応募先等の文字情報を葉書等に書き写す場合には、静止画像を長期間モニタに表示しておく必要があり、その間の映像情報を視聴することができないが、静止画像情報が記録媒体に記録されるため、静止画像を長期間モニタに表示しておく必要がなく、利便性を向上することができる。
【００１５】
請求項２に記載の放送受信装置によれば、静止画像が生成される度に、生成された静止画像がモニタに表示されるため、ユーザはモニタに表示された静止画像を視認して、静止画像情報を記録媒体に記録するか否かの判定を行うことができるので、映像情報に対応する静止画像情報を更に利便性良好に利用することができる。
【００１６】
請求項３に記載の放送受信装置によれば、リモートコントローラに配設され、予め設定された第１特定キーが押下されたことが受け付けられた場合に、静止画像情報が生成されるため、映像情報に対応する静止画像情報を更に利便性良好に利用することができる。
【００１７】
すなわち、ユーザは、静止画像情報を記録媒体に格納することを所望する場合には、リモートコントローラに配設された第１特定キーを押下することによって、記録媒体に格納可能な静止画像情報が生成されるので、映像情報に対応する静止画像情報を更に利便性良好に利用することができるのである。
【００１８】
請求項４に記載の放送受信装置によれば、静止画像がモニタに表示されている状態で、リモートコントローラに配設され、予め設定された第２特定キーが押下されたことが受け付けられた場合に、モニタに表示された静止画像が消去されると共に、受信手段を介して受信された映像情報がモニタに表示されるため、映像情報に対応する静止画像情報を更に利便性良好に利用することができる。
【００１９】
すなわち、静止画像がモニタに表示されている状態で、ユーザが、映像情報の視聴を所望する場合には、リモートコントローラに配設された第２特定キーを押下することによって、モニタに表示された静止画像を消去すると共に、受信手段を介して受信された映像情報をモニタに表示することができるので、映像情報に対応する静止画像情報を更に利便性良好に利用することができる。
【００２０】
請求項５に記載の放送受信装置によれば、第１特定キー及び第２特定キーが、リモートコントローラに配設された同一のキーであるため、簡素な構成で映像情報に対応する静止画像情報を利便性良好に利用することができる。
【００２１】
請求項６に記載の放送受信装置によれば、記録媒体がＵＳＢメモリであるため、パーソナルコンピュータ等によって記録媒体（＝ＵＳＢメモリ）に格納された静止画像情報を容易に読み出すことができるので、映像情報に対応する静止画像情報を更に利便性良好に利用することができる。
【発明を実施するための最良の形態】
【００２２】
以下に本発明の実施形態を、図面を参照しながら説明する。図１は、本発明に係るデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。また、デジタル放送受信機１は、インターフェイス部１９を介してＵＳＢメモリ３（記録媒体に相当する）を着脱自在に構成されている。
【００２３】
デジタル放送受信機１は、リモコン２を介してユーザからの操作入力を受け付けて、テレビジョン放送を受信し、ディスプレイ１７３及びスピーカ１５３に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、赤外線通信部１８、及び、インターフェイス部１９を備えている。
【００２４】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２５】
受信部１４は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２６】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２７】
音声出力部１５は、受信部１４によって受信されたテレビジョン放送に対応する音声を出力するものであって、Ｄ／Ａ変換部１５１、音声信号出力部１５２、及び、スピーカ１５３を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。スピーカ１５３は、音声信号出力部１５２から出力された音声信号に対応する音声を出力するものである。
【００２８】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００２９】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３０】
赤外線通信部１８は、リモコン２からの電源のＯＮ、ＯＦＦ操作、選局、デジタル放送受信機１の各種設定等の各種操作を受け付けるものである。インターフェイス部１９（装着判定手段の一部、及び、画像記録手段の一部に相当する）は、ＵＳＢ（Ｕｎｉｖｅｒｓａｌ  Ｓｅｒｉａｌ  Ｂｕｓ）端子を備え、ＵＳＢ端子を介してＵＳＢメモリ３（記録媒体に相当する）を着脱自在に構成され、ＵＳＢ端子に装着されたＵＳＢメモリ３に対して、ＭＰＵ１１（後述する画像記録部１１４）からの指示に基づいて、静止画像情報等を記録する（＝書き込む）ものである。
【００３１】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３２】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５３から音声が出力される。
【００３３】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００３４】
図２は、リモコン２の一例を示す正面図である。リモコン２（静止画像生成手段の一部、画像記録手段の一部、及び、表示制御手段の一部に相当する）は、ユーザからの操作入力を受け付けて、操作入力に対応する赤外線信号を生成して、デジタル放送受信機１に対して出力するものであって、赤外線信号出力部２１、方向キー２２、決定キー２３、及び、スティル（ＳＴＩＬＬ）キー２４を備えている。赤外線信号出力部２１は、ユーザによって押下されたキーに対応する操作信号を生成し、赤外線信号に変換してデジタル放送受信機１（赤外線通信部１８）に対して送信するものである。
【００３５】
方向キー２２は、ディスプレイ１７３に表示された複数の選択肢の中から１の選択肢を選択する場合等に押下されるキーであって、上方向キー、下方向キー、左方向キー、及び、右方向キーの４個のキーから構成されている。決定キー２３は、方向キー２２によって選択された選択肢に決定する場合等に押下されるキーである。スティルキー２４（第１特定キー、第２特定キーに相当する）は、映像情報に対応する静止画像情報を生成する場合、及び、静止画像がディスプレイ１７３に表示されている状態で、受信部１４を介して受信された映像情報をディスプレイ１７３に表示する場合等に押下されるキーである。
【００３６】
図３は、本発明に係るデジタル放送受信機１における主要部の構成の一例を示すブロック図である。ＭＰＵ１１は、機能的に、装着判定部１１１、静止画像生成部１１２、表示制御部１１３、及び、画像記録部１１４を備え、ＲＡＭ１２は、機能的に、静止画像記憶部１２１を備えている。
【００３７】
ここでは、ＭＰＵ１１が、図１に示すＲＯＭ１３等に予め格納された制御プログラムを読み出して実行することにより、装着判定部１１１、静止画像生成部１１２、表示制御部１１３、画像記録部１１４等の機能部として機能すると共に、ＲＡＭ１２を、静止画像記憶部１２１等の機能部として機能させるものである。
【００３８】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００３９】
静止画像記憶部１２１は、静止画像生成部１１２によって生成された静止画像情報を格納するものである。静止画像記憶部１２１に格納された静止画像情報は、表示制御部１１３及び画像記録部１１４によって読み出されるものである。
【００４０】
装着判定部１１１（装着判定手段の一部に相当する）は、予め設定された所定期間（例えば、１分）毎に、ＵＳＢメモリ３がインターフェイス部１９のＵＳＢ端子に装着されているか否かを判定するものである。
【００４１】
静止画像生成部１１２（静止画像生成手段の一部に相当する）は、リモコン２を介してユーザからの操作入力を受け付け、受け付けられた操作入力に基づいて、受信部１４を介して受信された映像情報に対応する静止画像情報を生成し、生成された静止画像情報を静止画像記憶部１２１に記録する（＝書き込む）ものである。
【００４２】
具体的には、静止画像生成部１１２は、リモコン２に配設されたスティルキー２４（＝第１特定キーに相当する：図２参照）が押下されたことが受け付けられた場合に、受信部１４を介して受信された映像情報に対応する静止画像情報を生成し、生成された静止画像情報を静止画像記憶部１２１に記録する（＝書き込む）ものである。また、静止画像生成部１１２は、例えば、静止画像情報を、ＪＰＥＧ（Ｊｏｉｎｔ  Ｐｈｏｔｏｇｒａｐｈｉｃ  Ｅｘｐｅｒｔｓ  Ｇｒｏｕｐ）形式に変換して静止画像記憶部１２１に書き込むものである。
【００４３】
表示制御部１１３（表示制御手段の一部に相当する）は、静止画像生成部１１２によって静止画像が生成される度に、生成された静止画像をディスプレイ１７３に表示するものである。
【００４４】
また、表示制御部１１３は、静止画像がディスプレイ１７３に表示されている状態（図５（ｂ）参照）で、リモコン２に配設されたスティルキー２４（＝第２特定キーに相当する：図２参照）が押下されたことが受け付けられた場合に、ディスプレイ１７３に表示された静止画像を消去すると共に、受信部１４を介して受信された映像情報をディスプレイ１７３に表示するものである。
【００４５】
更に、表示制御部１１３は、静止画像生成部１１２によって静止画像が生成された際に、装着判定部１１１によってＵＳＢメモリ３が装着されていないと判定された場合には、ＵＳＢメモリ３が装着されていない旨のメッセージ情報を表示するメッセージ表示画面４００（図５（ａ）参照）をディスプレイ１７３に表示するものである。
【００４６】
画像記録部１１４（画像記録手段の一部に相当する）は、リモコン２を介してユーザからの操作入力を受け付け、受け付けられた操作入力に基づいて、静止画像生成部１１２によって生成された静止画像情報をＵＳＢメモリ３に記録する（＝書き込む）ものである。
【００４７】
ここでは、画像記録部１１４は、ディスプレイ１７３に記録指示画面４１０（図５（ｂ）参照）を表示し、記録指示画面４１０を介して、静止画像生成部１１２によって生成された静止画像情報をＵＳＢメモリ３に記録するものである。
【００４８】
図４は、デジタル放送受信機１（主にＭＰＵ１１）の動作の一例を示すフローチャートである。まず、静止画像生成部１１２によって、スティルキー２４が押下されたことが受け付けられたか否かの判定が行われる（Ｓ１０１）。スティルキー２４が押下されたことが受け付けられていないと判定された場合（Ｓ１０１でＮＯ）には、処理が待機状態とされる。
【００４９】
スティルキー２４が押下されたことが受け付けられたと判定された場合（Ｓ１０１でＹＥＳ）には、静止画像生成部１１２によって、受信部１４を介して受信された映像情報に対応する静止画像情報が生成され、静止画像記憶部１２１に記録される（Ｓ１０３）。そして、表示制御部１１３によって、ステップＳ１０３において生成された静止画像がディスプレイ１７３に表示される（Ｓ１０５）。
【００５０】
次いで、装着判定部１１１によって、ＵＳＢメモリ３が装着されているか否かの判定が行われる（Ｓ１０７）。ＵＳＢメモリ３が装着されていないと判定された場合（Ｓ１０７でＮＯ）には、図５（ａ）に示すメッセージ表示画面４００が表示され（Ｓ１０９）、処理がステップＳ１１５に進められる。ＵＳＢメモリ３が装着されていると判定された場合（Ｓ１０７でＹＥＳ）には、画像記録部１１４によって、図５（ｂ）に示す記録指示画面４１０が表示され、ステップＳ１０３において生成された静止画像情報をＵＳＢメモリ３に記録するか否かの判定が行われる（Ｓ１１１）。
【００５１】
静止画像情報をＵＳＢメモリ３に記録しないと判定された場合（Ｓ１１１でＮＯ）には、処理がステップＳ１１５に進められる。静止画像情報をＵＳＢメモリ３に記録すると判定された場合（Ｓ１１１でＹＥＳ）には、画像記録部１１４によって、ステップＳ１０３において生成された静止画像情報がＵＳＢメモリ３に記録される（Ｓ１１３）。
【００５２】
ステップＳ１０９の処理が終了した場合、ステップＳ１１１でＮＯの場合、又は、ステップＳ１１３の処理が終了した場合には、表示制御部１１３によって、スティルキー２４が押下されたか否かの判定が行われる（Ｓ１１５）。スティルキー２４が押下されていないと判定された場合（Ｓ１１５でＮＯ）には、処理が待機状態とされる。スティルキー２４が押下されたと判定された場合（Ｓ１１５でＹＥＳ）には、表示制御部１１３によって、静止画像が消去されると共に、受信部１４を介して受信された映像情報がディスプレイ１７３に表示され（Ｓ１１７）、処理が終了される。
【００５３】
図５（ａ）は、図４に示すフローチャートのステップＳ１０９においてディスプレイ１７３に表示されるメッセージ表示画面の一例を示す画面図である。メッセージ表示画面４００には、画面全体に静止画像表示部４０１が表示され、画面下部に、メッセージ表示部４０２が表示されている。
【００５４】
静止画像表示部４０１は、静止画像生成部１１２によって生成された静止画像を表示するものである。メッセージ表示部４０２は、ＵＳＢメモリ３が装着されていない旨のメッセージ情報を表示するものであって、ここでは、ＯＳＤ（Ｏｎ−Ｓｃｒｅｅｎ  Ｄｉｓｐｌａｙ）等を介して、「ＵＳＢメモリが装着されていません。静止画像を記録する場合には、ＵＳＢメモリを装着してください。」と文字情報が表示され、ユーザに対してＵＳＢメモリ３の装着を促している。
【００５５】
図５（ｂ）は、図４に示すフローチャートのステップＳ１１１においてディスプレイ１７３に表示される記録指示画面の一例を示す画面図である。記録指示画面４１０には、画面全体に静止画像表示部４１１が表示され、画面下部に、ガイダンス表示部４１２、ＹＥＳボタン４１３、及び、ＮＯボタン４１４が表示されている。
【００５６】
静止画像表示部４１１は、静止画像生成部１１２によって生成された静止画像を表示するものである。ガイダンス表示部４１２は、操作ガイダンス情報を表示するものであって、ここでは、「キャプチャされた静止画像を記録しますか？」と表示され、ユーザに対して、静止画像をＵＳＢメモリ３に記録するか否かの操作入力を促している。
【００５７】
ＹＥＳボタン４１３は、静止画像をＵＳＢメモリ３に記録する場合に押下されるボタンであり、ＮＯボタン４１４は、静止画像をＵＳＢメモリ３に記録しない場合に押下されるボタンである。ＹＥＳボタン４１３が押下された場合には、画像記録部１１４によって、静止画像表示部４１１に表示された静止画像情報が、ＵＳＢメモリ３に記録される。また、ＹＥＳボタン４１３又はＮＯボタン４１４が押下された場合には、ガイダンス表示部４１２、ＹＥＳボタン４１３、及び、ＮＯボタン４１４が消去され、静止画像表示部４１１が画面全体に表示される。
【００５８】
このようにして、リモコン２を介してユーザからの操作入力が受け付けられ、受け付けられた操作入力に基づいて、受信部１４を介して受信された映像情報に対応する静止画像情報が生成され、記録媒体（ここでは、ＵＳＢメモリ３）が装着されているか否かが判定される。そして、ＵＳＢメモリ３が装着されていると判定された場合に、リモコン２を介してユーザからの操作入力が受け付けられ、受け付けられた操作入力に基づいて、生成された静止画像情報がＵＳＢメモリ３に記録されるため、映像情報に対応する静止画像情報を利便性良好に利用することができる。
【００５９】
すなわち、リモコン２を介してユーザからの操作入力が受け付けられ、受け付けられた操作入力に基づいて、生成された静止画像情報がＵＳＢメモリ３に記録されるため、パーソナルコンピュータ等によってＵＳＢメモリ３に格納された静止画像情報を読み出すことによって、種々の方法で静止画像情報を利用する（例えば、気に入った静止画像を壁紙として用いる、静止画像に含まれる懸賞の応募先等の文字情報を葉書等に書き写す等）ことができるので、映像情報に対応する静止画像情報を利便性良好に利用することができるのである。
【００６０】
また、従来、静止画像に含まれる懸賞の応募先等の文字情報を葉書等に書き写す場合には、静止画像を長期間ディスプレイ１７３に表示しておく必要があり、その間の映像情報を視聴することができないが、静止画像情報がＵＳＢメモリ３に記録されるため、静止画像を長期間ディスプレイ１７３に表示しておく必要がなく、利便性を向上することができる。
【００６１】
更に、静止画像が生成される度に、生成された静止画像がディスプレイ１７３に表示されるため、ユーザはディスプレイ１７３に表示された静止画像を視認して、静止画像情報をＵＳＢメモリ３に記録するか否かの判定を行うことができるので、映像情報に対応する静止画像情報を更に利便性良好に利用することができる。
【００６２】
更に、リモコン２に配設され、予め設定された第１特定キー（ここでは、スティルキー２４：図２参照）が押下されたことが受け付けられた場合に、静止画像情報が生成されるため、映像情報に対応する静止画像情報を更に利便性良好に利用することができる。
【００６３】
すなわち、ユーザは、静止画像情報をＵＳＢメモリ３に格納することを所望する場合には、リモコン２に配設されたスティルキー２４を押下することによって、ＵＳＢメモリ３に格納可能な静止画像情報が生成されるので、映像情報に対応する静止画像情報を更に利便性良好に利用することができるのである。
【００６４】
加えて、静止画像がディスプレイ１７３に表示されている状態（図５（ｂ）参照）で、リモコン２に配設され、予め設定された第２特定キー（ここでは、スティルキー２４：図２参照）が押下されたことが受け付けられた場合に、ディスプレイ１７３に表示された静止画像が消去されると共に、受信部１４を介して受信された映像情報がディスプレイ１７３に表示されるため、映像情報に対応する静止画像情報を更に利便性良好に利用することができる。
【００６５】
すなわち、静止画像がディスプレイ１７３に表示されている状態で、ユーザが、映像情報の視聴を所望する場合には、リモコン２に配設されたスティルキー２４を押下することによって、ディスプレイ１７３に表示された静止画像を消去すると共に、受信部１４を介して受信された映像情報をディスプレイ１７３に表示することができるので、映像情報に対応する静止画像情報を更に利便性良好に利用することができる。
【００６６】
また、第１特定キー及び第２特定キーが、リモコン２に配設された同一のキー（ここでは、スティルキー２４：図２参照）であるため、簡素な構成で映像情報に対応する静止画像情報を利便性良好に利用することができる。
【００６７】
更に、記録媒体がＵＳＢメモリ３であるため、パーソナルコンピュータ等によって記録媒体（＝ＵＳＢメモリ３）に格納された静止画像情報を容易に読み出すことができるので、映像情報に対応する静止画像情報を更に利便性良好に利用することができる。
【００６８】
なお、本発明は、以下の形態にも適用可能である。
（Ａ）本実施形態では、放送受信装置が、デジタル放送を受信するデジタル放送受信機１である場合について説明したが、放送受信装置が、デジタル放送及びアナログ放送の少なくとも一方を受信する形態であればよい。例えば、放送受信装置が、アナログ放送を受信する形態でもよいし、デジタル放送及びアナログ放送を受信する形態でもよい。
【００６９】
（Ｂ）本実施形態では、記録媒体が、ＵＳＢメモリである場合について説明したが、記録媒体が、その他の種類のデジタル放送受信機１に着脱自在に構成された記録媒体（例えば、カードメモリ等）である形態でもよい。
【００７０】
（Ｃ）本実施形態では、ＭＰＵ１１が、装着判定部１１１、静止画像生成部１１２、表示制御部１１３、画像記録部１１４等の機能部を備える場合について説明したが、装着判定部１１１、静止画像生成部１１２、表示制御部１１３、及び、画像記録部１１４の内、少なくとも１の機能部が、回路等のハードウェアによって実現されている形態でもよい。
【００７１】
（Ｄ）本実施形態では、画像記録部１１４が、記録指示画面４１０のＹＥＳボタン４１３（図５（ｂ）参照）が押下された際に、ＵＳＢメモリ３に記録する場合について説明したが、画像記録部１１４が、静止画像生成部１１２によって静止画像情報が生成される度に、ＵＳＢメモリ３に記録する形態でもよい。この場合には、更に迅速にＵＳＢメモリ３に記録することができるため、静止画像をディスプレイ１７３に表示する時間を更に短縮することができる。
【００７２】
（Ｅ）本実施形態では、表示制御部１１３が、静止画像生成部１１２によって生成された静止画像をディスプレイ１７３に表示する場合について説明したが、静止画像生成部１１２によって生成された静止画像をディスプレイ１７３に表示するか否かの設定が可能な形態でもよい。すなわち、リモコン２を介してユーザからの操作入力が受け付けられ、受け付けられた操作入力に基づいて、静止画像をディスプレイ１７３に表示するか否かの設定を行う機能部を備える形態でもよい。
【００７３】
また、例えば、静止画像をディスプレイ１７３に表示しないと設定されている場合には、静止画像生成部１１２によって生成される度に、画像記録部１１４が、ＵＳＢメモリ３に記録する構成でもよい。この場合には、静止画像をディスプレイ１７３に表示する時間を無くすことができる。
【図面の簡単な説明】
【００７４】
【図１】は、本発明に係るデジタル放送受信機の構成の一例を示すブロック図である。
【図２】は、リモコンの一例を示す正面図である。
【図３】は、本発明に係るデジタル放送受信機における主要部の構成の一例を示すブロック図である。
【図４】は、デジタル放送受信機（主にＭＰＵ）の動作の一例を示すフローチャートである。
【図５】は、図４に示すフローチャートのステップＳ１０９及びステップＳ１１１においてディスプレイ１７３にそれぞれ表示されるメッセージ表示画面及び記録指示画面の一例を示す画面図である。
【符号の説明】
【００７５】
１    デジタル放送受信機（放送受信装置）
１１    ＭＰＵ
１１１    装着判定部（装着判定手段の一部）
１１２    静止画像生成部（静止画像生成手段の一部）
１１３    表示制御部（表示制御手段の一部）
１１４    画像記録部（画像記録手段の一部）
１２    ＲＡＭ
１２１    静止画像記憶部
１４    受信部（受信手段）
１７    画像出力部
１７３    ディスプレイ（モニタ）
１９    インターフェイス部（装着判定手段の一部、及び、画像記録手段の一部）
２    リモコン（静止画像生成手段の一部、画像記録手段の一部、及び、表示制御手段の一部）
２２    方向キー
２３    決定キー
２４    スティル（ＳＴＩＬＬ）キー（第１特定キー、第２特定キー）
３    ＵＳＢメモリ
【図１】
2009044546.tif 000003
【図２】
2009044546.tif 000004
【図３】
2009044546.tif 000005
【図４】
2009044546.tif 000006
【図５】
2009044546.tif 000007